(57)【特許請求の範囲】
【請求項１】
隅桁と中間桁を有するとともに、前記隅桁と前記中間桁との間にフォーク挿入口が形成されている底部と、上端に外側に水平状に延設されたフランジと該フランジの下方に形成された水平全周リブと該水平全周リブの下方に形成された水平載置リブとを有する４つの側壁とを有する大型容器であって、前記大型容器のネスティング状態においては、上に位置する大型容器の前記水平載置リブが、下に位置する大型容器の前記フランジに載置されるように構成されており、また、前記水平全周リブと前記水平載置リブ間に位置する前記４つの側壁には、前記大型容器のネスティング状態において、フォークが挿入可能な上部フォーク挿入孔が、それぞれ、２個ずつ穿設されており、ネスティングされた状態から、前記上に位置する大型容器の側壁に穿設された前記上部フォーク挿入孔にフォークを挿入するとともに、フォークを上昇させることにより、前記上に位置する大型容器を、前記下に位置する大型容器から取り出すように構成されていることを特徴とする大型容器。
【発明の詳細な説明】
【０００１】
【発明の属する技術分野】
本発明は、種々の物品を、大量に、収容、搬送、保管するため使用される合成樹脂で一体に成形された大型容器に関するものである。
【０００２】
【従来の技術】
従来、種々の物品を、大量に、収容、搬送、保管するための大型容器としては、合成樹脂で一体に成形されたネスティング可能な大型容器が知られている。
【０００３】
【発明が解決しようとする課題】
従来、下に位置する大型容器内に、上に位置する大型容器が嵌合されたネスティング状態から、上に位置する大型容器を取り出すための有効な手段がなく、ネスティング状態の大型容器の取り出しには、多大の労力と時間を要していた。
【０００４】
本発明の目的は、上述した従来の大型容器が有する課題を解決するとともに、取扱性の優れた大型容器を提供することにある。
【０００５】
【課題を解決するための手段】
本発明は、上述した目的を達成するために、隅桁と中間桁を有するとともに、前記隅桁と前記中間桁との間にフォーク挿入口が形成されている底部と、上端に外側に水平状に延設されたフランジと該フランジの下方に形成された水平全周リブと該水平全周リブの下方に形成された水平載置リブとを有する４つの側壁とを有する大型容器であって、前記大型容器のネスティング状態においては、上に位置する大型容器の前記水平載置リブが、下に位置する大型容器の前記フランジに載置されるように構成されており、また、前記水平全周リブと前記水平載置リブ間に位置する前記４つの側壁には、前記大型容器のネスティング状態において、フォークが挿入可能な上部フォーク挿入孔が、それぞれ、２個ずつ穿設されており、ネスティングされた状態から、前記上に位置する大型容器の側壁に穿設された前記上部フォーク挿入孔にフォークを挿入するとともに、フォークを上昇させることにより、前記上に位置する大型容器を、前記下に位置する大型容器から取り出すように構成したものである。
【０００６】
【実施例】
以下に、本発明の実施例について説明するが、本発明の趣旨を越えない限り何ら、本実施例に限定されるものではない。
【０００７】
大型容器Ｂは、平面形状が方形状の底部１と、底部１から大型容器Ｂの開口部に向かって、外側に傾斜して形成された側壁２とを有している。側壁２の上端からは、外側に水平状に延設されたフランジ３が形成されており、また、フランジ３の下方で、大型容器Ｂの開口部近傍には、側壁２の外周面の全周を囲むように水平状に延設された水平全周リブ４が、適当数、形成されている。本実施例においては、２つの水平全周リブ４ａ、４ｂが形成されている。なお、便宜的に、２つの水平全周リブ４ａ、４ｂのうち、上方に位置する水平全周リブ４ａを、第１水平全周リブ４ａと称し、下方に位置する水平全周リブ４ｂを、第２水平全周リブ４ｂと称する。更に、第１水平全周リブ４ａ及び第２水平全周リブ４ｂの下方には、大型容器Ｂの角部を除いて、各側壁２の外周面の幅方向に、所定の長さに亘たって１つの水平載置リブ５が形成されている。
【０００８】
フランジ３と、第１水平全周リブ４ａとの間には、縦リブ６が、所定の間隔を置いて形成されており、また、第１水平全周リブ４ａと第２水平全周リブ４ｂの間、及び、第２水平全周リブ４ｂと水平載置リブ５との間には、縦リブ７、８が、それぞれ、所定の間隔を置いて形成されている。
【０００９】
また、底部１の４つの角部には、下方に延在する隅桁１ａが形成されており、隅桁１ａ間に位置する底部１の各辺の中間には、同じく、４つの中間桁１ｂが形成され、隅桁１ａと中間桁１ｂとの間には、フォークリフトやハンドフォークリフトのフォークが挿入可能なフォーク挿入口９が形成されている。
【００１０】
１０は、フランジ３と第１水平全周リブ４ａとの間に形成された縦リブ６に形成された切り欠き部に装着された筒状の角材等からなる補強材であり、大型容器Ｂの開口部を補強するように構成されている。このような補強材１０を配設することにより、内容物が収容された際に、大型容器Ｂの開口部付近の側壁２が、外側に膨らむ開口部の外膨れ現象を防止することができる。
【００１１】
１１は、一例として、第２水平全周リブ４ｂ、水平載置リブ５及び第２水平全周リブ４ｂと水平載置リブ５とを連結する縦リブ８とにより囲まれた側壁に形成されたフォークリフトのフォークＦが挿入可能な上部フォーク挿入孔である。この上部フォーク挿入孔１１は、大型容器Ｂの４つの側壁２に、それぞれ、２個ずつ穿設されている。勿論、相対する２つの側壁２にのみ、上部フォーク挿入孔１１を穿設することもできる。
【００１２】
図３に示されているように、本実施例の本体容器Ｂは、空の状態においては、上に位置する大型容器Ｂｕが、下に位置する大型容器Ｂｂ内に、嵌合される、所謂、ネスティングが可能なように構成されている。そして、上に位置する大型容器Ｂｕが、下に位置する大型容器Ｂｂ内に嵌合された、ネスティング状態においては、上に位置する大型容器Ｂｕの水平載置リブ５が、下に位置する大型容器Ｂｂのフランジ３に載置され、また、上に位置する大型容器Ｂｕの底部１に形成された隅桁１ａ及び中間桁１ｂは、下に位置する大型容器Ｂｂの底部１に当接しないように構成されている。
【００１３】
このような、上に位置する大型容器Ｂｕが、下に位置する大型容器Ｂｂ内に、嵌合された状態、所謂、ネスティングされた状態から、上に位置する大型容器Ｂｕを、上方に持ち上げる場合には、上に位置する大型容器Ｂｕの側壁２に穿設された上部フォーク挿入孔１１に、フォークリフトのフォークＦを挿入する。その後、フォークリフトのフォークＦを上昇させて、ネスティング状態の上に位置する大型容器Ｂｕを、下に位置する大型容器Ｂｂから取り出す。このように、側壁２に上部フォーク挿入孔１１を穿設する簡単な構成により、ネスティング状態の大型容器Ｂを、多大の労力と時間を要することなく、簡単に、取り出すことができる。
【００１４】
図４〜図６に示されている実施例は、図１等に示されている、４つの側壁２の全部に形成された水平載置リブ５のうち、一方の相対する側壁２’に形成された水平載置リブ５を除去し、もう一方の相対する側壁２”にのみ、水平載置リブ５を形成したものである。
【００１５】
そして、上に位置する大型容器Ｂｕが、下に位置する大型容器Ｂｂ内に、嵌合された状態、所謂、ネスティングされた状態から、上に位置する大型容器Ｂｕを、上方に持ち上げる場合には、図６に示されているように、上に位置する大型容器Ｂｕの水平載置リブ５の裏面５ａに、フォークリフトのフォークＦの上面Ｆ’を当接し、その後、フォークリフトのフォークＦを上昇させて、ネスティング状態の上に位置する大型容器Ｂｕを、下に位置する大型容器Ｂｂから取り出す。このように、４つの側壁２の全部に形成された水平載置リブ５のうち、一方の相対する側壁２’に形成された水平載置リブ５を除去し、もう一方の相対する側壁２”にのみ、水平載置リブ５を形成した簡単な構成により、ネスティング状態の大型容器Ｂを、多大の労力と時間を要することなく、簡単に、取り出すことができる。
【００１６】
上述したように、大型容器Ｂの開口部付近に、フォーク係合手段を構成するフォークリフトのフォークＦが挿入可能な上部フォーク挿入孔１１や、同じく、フォーク係合手段を構成する、フォークＦが当接可能な水平載置リブ５を配設した簡単な構成により、ネスティング状態の大型容器Ｂを、多大の労力と時間を要することなく、簡単に、取り出すことができる。
【００１７】
【発明の効果】
本発明は、以上説明した構成を有しているので、以下に記載する効果を奏するものである。
【００１８】
大型容器の開口部付近に、フォークリフトのフォークが挿入或いは当接可能なフォーク係合手段を配設した、簡単な構成により、ワイヤーやスリング等の別部材を使用することなく、ネスティング状態の大型容器を、多大の労力と時間を要することなく、簡単に、取り出すことができる。
【００１９】
大型容器に大幅な修正や変更を加えることなく、側壁の上部に、上部フォーク挿入孔を穿設するだけの簡単な構成により、ネスティング状態の大型容器を、多大の労力と時間を要することなく、簡単に、且つ、迅速に、持ち上げることができる。
【００２０】
大型容器に大幅な修正や変更を加えることなく、水平載置リブを利用するだけの簡単な構成により、ネスティング状態の大型容器を、多大の労力と時間を要することなく、簡単に、且つ、迅速に、持ち上げることができる。
【図面の簡単な説明】
【図１】図１は本発明の大型容器の斜視図である。
【図２】図２は本発明の大型容器の正面図である。
【図３】図３は本発明の大型容器がネスティングされた状態を示す正面図である。
【図４】図４は本発明の別の実施例の大型容器の斜視図である。
【図５】図５は図４に示されている大型容器の正面図である。
【図６】図６は図４に示されている大型容器がネスティングされた状態を示す正面図である。
【符号の説明】
Ｂ・・・・・・・・・・・・・大型容器
Ｆ・・・・・・・・・・・・・フォーク
１・・・・・・・・・・・・・底部
１ａ・・・・・・・・・・・・隅桁
１ｂ・・・・・・・・・・・・中間桁
２・・・・・・・・・・・・・側壁
３・・・・・・・・・・・・・フランジ
４ａ・・・・・・・・・・・・第１水平全周リブ
４ｂ・・・・・・・・・・・・第２水平全周リブ
５・・・・・・・・・・・・・水平載置リブ
１１・・・・・・・・・・・・上部フォーク挿入孔
【図１】
0004233184.tif 000002
【図２】
0004233184.tif 000003
【図３】
0004233184.tif 000004
【図４】
0004233184.tif 000005
【図５】
0004233184.tif 000006
【図６】
0004233184.tif 000007